(57)【特許請求の範囲】
【請求項１】
印刷物の網点着肉を評価する装置であって、
（イ）印刷物上の任意の場所を照射する光源手段、
（ロ）前記光源手段によって照射された場所にある一つ若しくは複数の網点を画像データとして取り込む画像入力手段、
（ハ）前記画像データにある一つ若しくは複数の網点を映し出すモニター手段、
（ニ）モニター手段に映し出した映像上で、輝度を計測する網点の断面を指定する指定手段、
（ホ）前記断面に沿って輝度を計測し、前記断面に沿ったときの輝度の変化から前記断面を持つ網点の幅Ｙと前記断面を持つ網点の表面の凹凸Ｚを求め、予め保管しておいた基準網点に対する前記断面と同様の断面に沿ったときの輝度の変化から基準網点の幅Ｘを求め、ａを定数としたとき、網点着肉度式｜Ｘ−Ｙ｜＋ａＺで計算した網点着肉度によって、前記断面を持つ網点の着肉を評価及び判定するデータ処理手段、
を具備することを特徴とする印刷物網点着肉評価装置。
【請求項２】
上記データ処理手段に、複数の網点についての上記網点着肉度を保管できる記憶機能があることを特徴とする請求項１記載の印刷物網点着肉評価装置。
【請求項３】
上記データ処理手段に保管されている複数の網点についての上記網点着肉度を、外部のコンピュータなどに転送できる外部出力手段があることを特徴とする請求項２記載の網点着肉評価装置。
【発明の詳細な説明】
【０００１】
【発明の属する技術分野】
本発明は印刷物上の網点を測定し、評価を行う装置に関するものである。
【０００２】
【従来の技術】
従来、印刷物の評価、及び基準に対する判定を行うには、印刷物の濃度評価、色空間評価、分光反射評価等がなされている。これらの評価では、材料面でのバランスに関する評価をしづらいという問題がある。
【０００３】
特にオフセット印刷に於いては、インキ量、及び水量のバランスが、品質に大きく影響を及ぼしているけれども、上記の評価では、各々の材料のバランスに関しての評価を行い難かった。そのため、印刷のオペレータは、印刷物の品質を向上させるために、主観に頼りながら、インキ量、及び水量のバランスを調整していた。
【０００４】
【発明が解決しようとする課題】
本発明の課題は、印刷物上の網点着肉状態を評価及び判定することにより、インキ量と水量のバランスを調節する手掛かりを与える装置を提供することである。
【０００５】
【課題を解決するための手段】
本発明において上記の課題を達成するために、まず請求項１の発明では、印刷物の網点着肉を評価する装置であって、
（イ）印刷物上の任意の場所を照射する光源手段、
（ロ）前記光源手段によって照射された場所にある一つ若しくは複数の網点を画像データとして取り込む画像入力手段、
（ハ）前記画像データにある一つ若しくは複数の網点を映し出すモニター手段、
（ニ）モニター手段に映し出した映像上で、輝度を計測する網点の断面を指定する指定手段、
（ホ）前記断面に沿って輝度を計測し、前記断面に沿ったときの輝度の変化から前記断面を持つ網点の幅Ｙと前記断面を持つ網点の表面の凹凸Ｚを求め、予め保管しておいた基準網点に対する前記断面と同様の断面に沿ったときの輝度の変化から基準網点の幅Ｘを求め、ａを定数としたとき、網点着肉度式｜Ｘ−Ｙ｜＋ａＺで計算した網点着肉度によって、前記断面を持つ網点の着肉を評価及び判定するデータ処理手段、
を具備することを特徴とする印刷物網点着肉評価装置としたものである。
【０００６】
また請求項２の発明は、上記データ処理手段に、複数の網点についての上記網点着肉度を保管できる記憶機能があることを特徴とする請求項１記載の印刷物網点着肉評価装置としたものである。
【０００７】
また請求項３の発明では、上記データ処理手段に保管されている複数の網点についての上記網点着肉度を、外部のコンピュータなどに転送できる外部出力手段があることを特徴とする請求項２記載の網点着肉評価装置としたものである。
【０００９】
【発明の実施の形態】
以下に、本発明の印刷物網点着肉評価装置を、実施の形態に従って説明する。
【００１０】
図１は、本発明である印刷物の網点着肉を評価する装置を説明する図である。
【００１１】
まず、光源手段３０の光により照りつけられた印刷物１０上の網点に対して、画像入力手段２０の焦点を合わせるには、画像入力手段２０から印刷物１０までの距離Ｓを調節するか、あるいは画像入力手段２０に付属する焦点調整手段４０を使用して行う。画像入力手段２０よって、印刷物１０上に並んでいる網点を読み取り電気的な画像信号に変換して、データ処理手段６０に、前記画像信号を画像データとして、取り込む。以下、説明を簡便にするために、この画像データのことを、網点状態データと呼ぶことにする。
【００１２】
前記網点状態データを、データ処理手段６０からモニター手段５０に映し出す。この際、モノクロに映し出した方が、以後の操作が好適に行える。前記映し出した網点状態データは、取り込む際の倍率によりことなるが、概ね図２のようになる。
【００１３】
前記網点状態データに対して、種々の演算パラメータが用意されており、その中の一つとして濃度プロファイル表示がある。これは、前記網点状態データをモニター手段５０に映し出した映像の上で、任意に選んだ網点に直線を引いて切断したときに現れる断面に沿って、前記網点状態データから輝度を計測して表示するものである。
【００１４】
上記濃度プロファイル表示を、具体例で説明する。まず、図３のように、図２において、各網点の重心を検出し、各々の重心を破線で結ぶことによって、各網点を切断する。図３の網点を任意に一つ選び、前記網点を切断する破線を一つ選択し、そこに現れる断面を輝度を計測するための断面とする。前記断面に沿って輝度を計測したとき、輝度の計測方向に対する輝度の変化を表している図４のグラフが、濃度プロファイル表示の一例となる。ただし、通常のグラフとは異なり、縦軸の上の方が輝度が小さく、縦軸の下の方が輝度が大きくなるように表示している。従って、図４のグラフにおいて、大きく盛り上がっている部分が、実測された網点（以後、説明を簡便にするために、実測網点と略称する。）である。
【００１５】
データ処理手段６０は、上記実測網点の濃度プロファイル表示と、基準網点（本来印刷物上に構成されるべき網点）の濃度プロファイル表示に基づいて、実測網点と基準網点とを比較して、実測網点の着肉を評価及び判定をする手段を提供する。もちろん、基準網点の濃度プロファイル表示は、予め基準網点を本印刷網点着肉評価装置で計測することによってデータ処理手段６０に保管しておく。この実測網点の着肉を評価及び判定する一つの手段として、以下の網点着肉度式で網点着肉度を計算するものがある。
【００１６】
【数１】
Ｃ＝｜Ｙ−Ｘ｜＋ａＺ
【００１７】
ここで、Ｃは網点着肉度、Ｘは基準網点の幅、Ｙは実測網点の幅、Ｚは実測網点の表面にある凹凸の幅、ａは定数である。Ｘ、Ｙ、Ｚは、図５に示すように、濃度プロファイル表示から求めることができる。基準網点を同じくする各網点の境界を、ある同じ輝度の値を取るところであると定めることにすれば、図５において、境界を定める輝度の値と実測網点と交差する２点の間の距離がＹ、同じく境界を定める輝度の値と基準網点と交差する２点の間の距離がＸである。
【００１８】
網点着肉度式から明らかなように、網点着肉度が０に近づくほど、実測網点は基準網点に近いことを意味している。
【００１９】
一般に、｜Ｙ−Ｘ｜とＺは、インキ量と水量の双方から影響を受けるけれども、｜Ｙ−Ｘ｜はインキ量の影響を特に強く受け、Ｚは水量の影響を特に強く受ける。従って、｜Ｙ−Ｘ｜からは主にインキ量の判定が可能であり、Ｚからは主に水量の判定が可能である。そして、網点着肉度式において、定数ａを、Ｚに掛けるのは、網点着肉度に対して、｜Ｙ−Ｘ｜を通じたインキ量による影響と、ａＺを通じた水量による影響とを、同程度に評価するためであり、ａは実験的に定められる。
【００２０】
網点着肉度を計算することによって、印刷のオペレータは、網点着肉度に対する｜Ｙ−Ｘ｜とａＺの寄与とを考慮して、網点着肉度を０に近づけるには、インキ量と水量のバランスについて、どのように調節したら良いのかを判断する手掛かりが得られる。
【００２１】
各網点についての網点着肉度は、データ処理手段６０に保管される。
【００２２】
データ処理手段６０に保管された各網点についての網点着肉度は、外部出力手段７０を経て、本印刷装置の外部にあるコンピュータなどに送って保管し、さらに詳細な解析を行っても良い。
【００２３】
印刷物全体の任意の場所ごとに、本発明の網点着肉評価装置で、網点着肉状態を評価及び判定すれば、印刷物全体の網点着肉状態を把握することができる。
【００２４】
【発明の効果】
本印刷物網点着肉装置は、印刷物全体の任意の場所毎に、印刷物上の網点状態を実測し、その実測網点状態と基準網点状態から網点着肉度を算出することによって、印刷のオペレータにインキ量及び水量のバランスついての調節を行う手掛かりを与えるので、印刷のオペレータは、印刷物の品質を向上させるために、主観に頼ることなく、インキ量及び水量の調節が行えるようになるという効果がある。
【図面の簡単な説明】
【図１】本発明の印刷物網点着肉評価装置を説明する図である。
【図２】網点状態データをモニター手段に映し出したときに現れる映像を説明する図である。
【図３】網点を切断する断面の選び方を説明する図である。
【図４】濃度プロファイル表示を説明する図である。
【図５】網点着肉度の求め方を説明するための図である。
【符号の説明】
１０…印刷物  ２０…画像入力手段  ３０…光源手段  ４０…焦点調節手段
５０…モニター手段  ６０…データ処理手段  ７０…外部出力手段
Ｓ…印刷物と画像入力手段との距離  Ｘ…基準網点の幅  Ｙ…実測網点の幅
Ｚ…実測網点の表面にある凹凸の幅
【図１】
0003663914.tif 000002
【図２】
0003663914.tif 000003
【図３】
0003663914.tif 000004
【図４】
0003663914.tif 000005
【図５】
0003663914.tif 000006